(57)【要約】【課題】圧着端子にゴム栓付き電線を固定する際、一対のゴム栓加締め片からのゴム栓のはみ出しを防止するように構成した圧着端子のゴム栓保持構造を提供すること。【解決手段】圧着端子のゴム栓保持構造１は、圧着端子３に形成した一対のゴム栓加締め片１１ａ，１１ｂを加締めて、圧着端子３に電線７とゴム栓５とを固定するように構成されている。圧着端子３の基底部３ａには、位置決め部材１３が形成されていて、ゴム栓５の端部５ａを当接させることにより、ゴム栓３の位置決めが行われる。この状態で一対のゴム栓加締め片１１ａ，１１ｂを加締めることにより、ゴム栓５がはみ出すことなく固定される。圧着端子３は、コネクタハウジングのキャビティに挿入される際に、ゴム栓５のはみ出し部分がないので、ゴム栓５の端部がめくれたり、切れたりすることがなく、挿入作業の効率、止水性が向上する。【選択図】図６
2011014421.tif 000002
【特許請求の範囲】
【請求項１】
被覆された電線を中空円筒形状のゴム栓の内部に挿通したゴム栓付き電線と、
接続端子部と、前記ゴム栓付き電線を載置する基底部を有し前記ゴム栓付き電線を固定する電線固定部と、前記電線固定部の前記基底部に設けられて前記ゴム栓を加締め固定する一対のゴム栓加締め片と、前記基底部に設けられて前記電線の端部から露出した芯線を加締め固定する一対の芯線加締め片と、を有する圧着端子と、
を備えた圧着端子のゴム栓保持構造であって、
前記基底部に、前記ゴム栓の固定位置を規定する位置決め部材を設けたことを特徴とする圧着端子のゴム栓保持構造。
【請求項２】
前記位置決め部材は、前記基底部の一端を切り起こして形成されていることを特徴とする請求項１に記載の圧着端子のゴム栓保持構造。
【発明の詳細な説明】
【技術分野】
【０００１】
本発明は、圧着端子に設けられたゴム栓固定部により、電線と一体に加締め固定されるゴム栓の保持構造に関する。
【背景技術】
【０００２】
図７は、下記特許文献１に開示されたゴム栓付き端子圧着電線の構成を示すものである。
薄肉被覆電線１０１の端部には、一定長さだけ皮剥きされた芯線１０２が露出している。そして、この皮剥きされている芯線１０２と被覆部との境目部分にはゴム栓１０３が嵌め込まれている。ゴム栓１０３はシリコンゴムあるいはニトリルゴム等といった材質のものが使用されて、全体として円筒状に成形されている。ゴム栓１０３の後端側には適当間隔毎に図示３条のシール縁１０４が、軸方向に順にフランジ状に張り出し形成されており、ゴム栓１０３の前端部分は、端子金具１０５のインシュレーションバレル１０８により加締められる圧着部１０３ａとなっている。
【０００３】
端子金具１０５は、先端部には電気的接続のためのコンタクト部１０６が、中間部には芯線１０２を加締めるためのワイヤバレル１０７が配されており、このワイヤバレル１０７は公知の圧着機によって芯線１０２に対する加締め変形がなされる。また、端子金具１０５の後端側には上記したインシュレーションバレル１０８が配されている。インシュレーションバレル１０８は加締められる前の形状としては、ゴム栓１０３の圧着部１０３ａを挿通した状態で左右に起立する一対の加締め片であり、かつ両加締め片は左右でほぼ同じ高さとなっている。そして、インシュレーションバレル１０８は不図示の圧着機によってオーバーラップ圧着されてゴム栓１０３の圧着部１０３ａに加締め固定される。
【先行技術文献】
【特許文献】
【０００４】
【特許文献１】特開平１０−２２３２６５号公報
【発明の概要】
【発明が解決しようとする課題】
【０００５】
従来の端子金具１０５の構成にあっては、図７に圧着部１０３ａとして図示したように、ゴム栓１０３の先端部がインシュレーションバレル１０８の前方側端部からワイヤバレル１０７側にはみ出る。
【０００６】
一方、端子金具１０５は、コンタクト部１０６側から不図示のコネクタハウジングのキャビティ内に差し込まれるのであるが、この差し込み時にゴム栓１０３のはみ出た部分がキャビティの縁部に引っ掛かり、ゴム栓１０３がめくれたり、切れたりするおそれがあった。ゴム栓１０３は水分の浸潤防止、即ち止水のために設けられるのであるから、めくれや切れが生じると止水機能が損なわれる上に、引っ掛かりによって作業をやり直す等の不都合も発生する。
【０００７】
本発明の目的は、上記課題を解消することに係り、圧着端子をコネクタハウジングのキャビティに挿入する際のゴム栓のめくれや切れの発生を防止し得るように構成した圧着端子のゴム栓保持構造を提供することにある。
【課題を解決するための手段】
【０００８】
本発明の上記目的は、下記構成により達成される。
（１）被覆された電線を中空円筒形状のゴム栓の内部に挿通したゴム栓付き電線と、
接続端子部と、前記ゴム栓付き電線を載置する基底部を有し前記ゴム栓付き電線を固定する電線固定部と、前記電線固定部の前記基底部に設けられて前記ゴム栓を加締め固定する一対のゴム栓加締め片と、前記基底部に設けられて前記電線の端部から露出した芯線を加締め固定する一対の芯線加締め片と、を有する圧着端子と、
を備えた圧着端子のゴム栓保持構造であって、
前記基底部に、前記ゴム栓の固定位置を規定する位置決め部材を設けたことを特徴とする圧着端子のゴム栓保持構造。
【０００９】
（２）前記位置決め部材は、前記基底部の一端を切り起こして形成されていることを特徴とする上記（１）に記載の圧着端子のゴム栓保持構造。
【００１０】
上記（１）の構成によれば、ゴム栓付き電線の加締め固定に先立って、前記位置決め部材によりゴム栓の固定位置を規定でき、ゴム栓のはみ出しを予防できる。
【００１１】
上記（２）の構成によれば、基底部の一端を切り起こすという簡単な工程で位置決め部材が形成される。
【発明の効果】
【００１２】
本発明による圧着端子のゴム栓保持構造によれば、一対のゴム栓加締め片を加締めて被覆載置部にゴム栓付き電線を固定する際、ゴム栓の固定位置が位置決め部材により規定されるので、ゴム栓をゴム栓加締め片からはみ出すことなく固定することができる。
【００１３】
したがって、圧着端子をコネクタハウジングのキャビティに挿入する際、ゴム栓がコネクタハウジングのキャビティの縁部に当たってめくれたり、切れたりすることを未然に防止できる。この結果、圧着端子をコネクタハウジングのキャビティに挿入する際の作業性、ゴム栓による止水効果が向上する。
【図面の簡単な説明】
【００１４】
【図１】本発明に係る圧着端子のゴム栓保持構造の一実施形態を示す斜視図である。
【図２】圧着端子の構成を示す展開図である。
【図３】圧着端子の構成を示す断面図である。
【図４】圧着端子の構成を示す斜視図である。
【図５】圧着端子の構成を示す平面図である。
【図６】図５のＸ−Ｘ線矢視断面図である。
【図７】従来の圧着端子とゴム栓の固定構造を示す斜視図である。
【発明を実施するための形態】
【００１５】
以下、本発明に係る圧着端子のゴム栓保持構造の一実施形態について、図面を参照して詳細に説明する。なお、以下に示す実施形態においては、単にゴム栓保持構造と略称する。
【００１６】
本実施形態におけるゴム栓保持構造１は、図１に示すように、圧着端子３と、止水用の中空円筒形状のゴム栓５と、ゴム栓５に挿通した状態で圧着端子３に固定された電線７とを備えている。このゴム栓保持構造１にあっては、ゴム栓５の端面５ａと、後述するゴム栓加締め片１１ｂの一側面１１ｄとが面一になっている。
【００１７】
圧着端子３は、図２に示すように金属板をプレス成形したものであって、接続端子部４と、ゴム栓５を装着した電線７を載置する基底部３ａを有する電線固定部６と、一対の芯線加締め片９ａ，９ｂと、一対のゴム栓加締め片１１ａ，１１ｂと、が形成されている。また、基底部３ａには図１に示した接続端子部４が一体に形成されるのであるが、図２以降では図示を省略されている。
【００１８】
なお、一対の芯線加締め片９ａ，９ｂ及び一対のゴム栓加締め片１１ａ，１１ｂは、電線７を固定するに先立って、基底部３ａから上方に折り曲げられる。この折り曲げによって、一対の芯線加締め片９ａ，９ｂ間に横断面Ｕ字状の圧着接続部９ｃが形成され、一対のゴム栓加締め片１１ａ，１１ｂ間に横断面Ｕ字状の電線載置部１１ｃが形成される。
【００１９】
そして、基底部３ａ上であって電線載置部１１ｃに隣接する位置に、ゴム栓５の固定位置を規定する位置決め部材１３が形成されている。位置決め部材１３は、図３に断面形状で示したように、電線載置部１１ｃの端部に隣接する部分を切り起こして形成される。
【００２０】
また、位置決め部材１３と電線載置部１１ｃとの間の境界と、一方の加締め片１１ｂの一側面１１ｄとは、線Ｌ上に位置決めにされている。
【００２１】
ゴム栓５は、図６に断面形状で示すように全体として筒状に形成され、長手方向に形成された中空部１５内に電線７が液密に挿通される。電線７は、導電線である芯線７ａを被覆材７ｂで覆った構成になっている。なお、図３〜図６にあっては、位置決め部材１３とゴム栓５との関連を示すため、電線７は図示を省略されている。
【００２２】
電線載置部１１ｃにゴム栓５を載せる際、図６に示すように端面５ａを位置決め部材１３に当て付けて位置決めし、一対の加締め片１１ａ，１１ｂを加締めれば、図４〜図６に示すようにゴム栓５の端面５ａと一側面１１ｄとが面一になり、ゴム栓５がゴム栓加締め片１１ｂよりも芯線加締め片９ａ，９ｂ側にはみ出すことが防止される。
【００２３】
圧着端子３にゴム栓５付きの電線７を固定し、且つ芯線７ａを接続する場合、被覆材７ｂの端部から芯線７ｂを剥き出して圧着接続部９ｃに位置決めするとともに、電線７が挿通されたゴム栓５を電線載置部１１ｃに位置決めする。なお、ゴム栓５の位置決めに際しては、図５，図６に示すように、位置決め部材１３にゴム栓５の端面５ａを合わせるようにする。
【００２４】
この状態で、公知の圧着機を用いて一対の芯線加締め片９ａ，９ｂを加締め、芯線７ａを圧着端子３に導電可能に接続する。次に、前記圧着機を用いて一対のゴム栓加締め片１１ａ，１１ｂを加締め、ゴム栓５及び電線７を圧着端子３に固定する。
【００２５】
以上のようにして、図１に示したゴム栓保持構造１が構成されるのであるが、前記位置決め部材１３によってゴム栓５が位置決めされるので、加締め片１１ｂからゴム栓５がはみ出ない。
【００２６】
前記構成の圧着端子３は、雌端子であり、不図示のコネクタのハウジングキャビティに接続端子４側から挿入される。このとき、ゴム栓５がゴム栓加締め片９ｂからはみ出していないので、ゴム栓５がコネクタハウジングのキャビティの縁部に当たってめくれたり、切れたりすることがない。
【００２７】
したがって、圧着端子３のハウジングキャビティへの組み付け作業が効率的に行われるとともに、ゴム栓５の止水作用が向上する。
【００２８】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００２９】
例えば、本発明が適用される圧着端子としては、雄端子でもよい。
また、位置決め部材１３の形成位置は、前記位置に限定されず、電線載置部１１ｃ内に入り込むようにしてもよい。この場合、ゴム栓５の端面５ａよりも加締め片１１ｂが張り出すようになり、ゴム栓５のはみ出し防止がより確実に行われる。
【符号の説明】
【００３０】
１  圧着端子のゴム栓保持構造
３  圧着端子
４  接続端子部
５  ゴム栓
５ａ  端面
７  電線
７ａ  芯線
７ｂ  被覆材
９ａ，９ｂ  芯線加締め片
９ｃ  圧着接続部
１１ａ，１１ｂ  ゴム栓加締め片
１１ｃ  電線載置部
１３  位置決め部材
１５  中空部
【図１】
2011014421.tif 000003
【図２】
2011014421.tif 000004
【図３】
2011014421.tif 000005
【図４】
2011014421.tif 000006
【図５】
2011014421.tif 000007
【図６】
2011014421.tif 000008
【図７】
2011014421.tif 000009